(57)【要約】      （修正有）【課題】プランター前を通過する通行人やプランターの植物を鑑賞する者の体感温度を十分に下げることができる、ミストファン付プランターを提供する。【解決手段】ファン部４２と、ミスト散布部４３と、を備え、ファン部４２から送風することによってミスト散布部４３から散布されたミストを噴霧するミストファン４と、ミストファン４が取り付けられたプランター２と、を備え、ミストファン４は、プランター２を設置する設置位置において、プランター２に植栽された植物を看取可能な位置に対してミストを噴霧する。【選択図】図１
0003223145.tif 000002
【実用新案登録請求の範囲】
【請求項１】
ファン部と、ミスト散布部と、を備え、前記ファン部から送風することによって前記ミスト散布部から散布されたミストを噴霧するミストファンと、
前記ミストファンが取り付けられたプランターと、を備え、
前記ミストファンは、前記プランターを設置する設置位置において、前記プランターに植栽された植物を看取可能な位置に対してミストを噴霧することを特徴とするミストファン付プランター。
【請求項２】
前記ミストファンの動作の制御を行う制御部を備えることを特徴とする請求項１に記載のミストファン付プランター。
【請求項３】
前記ミストファンの噴霧予定時間を設定するタイマーを備え、
前記制御部は、前記噴霧予定時間において前記ミストファンが噴霧を行うように制御し、前記噴霧予定時間を経過した場合において前記ミストファンが噴霧を行わないように制御することを特徴とする請求項２に記載のミストファン付プランター。
【請求項４】
降雨を検知するための降雨センサーを備え、
前記制御部は、前記降雨センサーによって降雨が検知された場合には前記ミストファンが噴霧を行わないように制御し、前記降雨センサーによって降雨が検知されない場合には前記ミストファンが噴霧を行うように制御することを特徴とする請求項２に記載のミストファン付プランター。
【考案の詳細な説明】
【技術分野】
【０００１】
本考案は、人体を冷却するミストを噴霧するミストファンを備えたプランター（ミストファン付プランター）に関する。
【背景技術】
【０００２】
近年、地球温暖化などによって気温が大幅に上昇している。このような環境下において、植物を植栽したプランターを屋外に設置する方法が採用されている。この方法によれば、プランター内の植物の蒸散作用による冷気を浴びることができるため、プランター前を通過する通行人やプランター内の植物を鑑賞する者（通行人等）の体感温度を下げることができる。
【考案の概要】
【考案が解決しようとする課題】
【０００３】
通行人等の体感温度をさらに下げるために、植物を植栽したプランターから通行人等に対してミストを散布する方法が用いられている。しかしながら、この方法では、ミストが自然風によって流されてしまうため、通行人等がミストをほとんど浴びることができず、体感温度を十分に下げることができない可能性がある。
【０００４】
そこで、本考案は、プランター前を通過する通行人やプランターの植物を鑑賞する者の体感温度を十分に下げることができる、プランターの提供を目的とする。
【課題を解決するための手段】
【０００５】
上記課題を解決するために、本考案のミストファン付プランターは、（１）  ファン部と、ミスト散布部と、を備え、前記ファン部から送風することによって前記ミスト散布部から散布されたミストを噴霧するミストファンと、前記ミストファンが取り付けられたプランターと、を備え、前記ミストファンは、前記プランターを設置する設置位置において、前記プランターに植栽された植物を看取可能な位置に対してミストを噴霧することを特徴とする。
【０００６】
（２）前記ミストファンの動作の制御を行う制御部を備えることを特徴とする請求項１に記載のミストファン付プランター。
【０００７】
（３）前記ミストファンの噴霧予定時間を設定するタイマーを備え、前記制御部は、前記噴霧予定時間において前記ミストファンが噴霧を行うように制御し、前記噴霧予定時間を経過した場合において前記ミストファンが噴霧を行わないように制御することを特徴とする請求項２に記載のミストファン付プランター。
【０００８】
（４）降雨を検知するための降雨センサーを備え、前記制御部は、前記降雨センサーによって降雨が検知された場合には前記ミストファンが噴霧を行わないように制御し、前記降雨センサーによって降雨が検知されない場合には前記ミストファンが噴霧を行うように制御することを特徴とする請求項２に記載のミストファン付プランター。
【考案の効果】
【０００９】
本考案によれば、通行人等は、プランターの植物の蒸散作用による冷気を浴びることができるとともに、自然風に邪魔されることなくミストを浴びることができるため、大きな冷涼感が得られ、体感温度を十分に低下させることができる。
【図面の簡単な説明】
【００１０】
【図１】本考案に係るミストファン付プランターの斜視図である。
【図２】図１のミストファン付プランターのＡ−Ａ矢視図である。
【図３】ミストファン付プランターがタイマー及び降雨センサーを備える場合における、制御部によるミストファンの動作の制御に関するフローチャートである。
【考案を実施するための形態】
【００１１】
以下、本考案に係るミストファン付プランターについて、図面を参照しながら説明する。図１は、本考案に係るミストファン付プランターの斜視図である。図２は、図１のミストファン付プランターのＡ−Ａ矢視図である。ここで、図１及び図２において、Ｘ軸はミストファン付プランターの奥行方向、Ｙ軸はミストファン付プランターの幅方向、Ｚ軸は重力方向にそれぞれ対応している。
【００１２】
図１及び図２を参照して、ミストファン付プランター１は、Ｚ軸方向に対して所定角度だけ傾斜した箱型で木製のプランター２と、プランター２の下部からＸ軸方向に延びて地面に接し、傾斜したプランター２を支持する脚部３と、ミストファン４と、ミストファン４の動作の制御を行う制御部（不図示）と、を備える。プランター２には、植物（不図示）を植栽する棚部２１が上下多段に設けられており、ミストファン４は、棚部２１のうち最上段に位置する最上段棚部２１ａに設けられる。なお、プランター２は木製に限られず、例えば鉄やその他の金属など、適宜な材質を用いることができる。
【００１３】
（プランター２について）
棚部２１に植物を植栽することにより、植物が開口部２２を介して看取され得る。プランター２が設置される設置場所における、プランター２に植栽された植物を看取可能な位置に存する者は、開口部２２を介して放出される、プランター２内の植物の蒸散作用による冷気を浴びることができる。「設置場所」とは、例えば、歩行者が往来する歩道や、人々が座って休憩する東屋等である。また、「看取可能な位置」とは、プランター２に植栽された植物を視認によって判別可能な程度に、プランター２に近接した位置をいい、例えば、プランター２に植栽された植物を視認可能であってかつプランター２から１ｍ以内の位置をいう。なお、歩行者等は、プランター２に植栽された植物を看取することによってリラックスし、癒しを得ることもできる。
【００１４】
プランター２は、天壁２３と、一対の側壁２４と、背壁２５と、を備える。一対の側壁２４は、天壁２３から下斜方向に延びており、脚部３と一体的に形成されている。開口部２２の縁は、天壁２３のＸ軸方向における縁と、一対の側壁２４のＸ軸方向における縁と、を含む。背壁２５は、天壁２３から下方に傾斜して延びる第１背壁２５１と、第１背壁２５１と平行して延びる第２背壁２５２と、から構成される。第２背壁２５２の上端は第１背壁２５１の上端よりＺ軸方向下方に位置しており、第１背壁２５１および第２背壁２５２は積層して互いに固定されている。第２背壁２５２から、棚部２１が上斜方向に延びており、各棚部２１の先端部は上方に湾曲している。最上段棚部２１ａは、第２背壁２５２の上端から上斜方向に延びている。
【００１５】
棚部２１が第２背壁２５２から延びて形成されることで、各植物を各棚部２１が独立して支持することができる。これにより、下段の棚部２１に植栽されている植物に、上段の棚部２１に植栽されている植物の重みがかかりづらくなるため、下段の棚部２１に植栽された植物の土の硬化を防止できる。その結果、植物の根の成長阻害が抑制され、植物がより多くの水分を吸収できる。
【００１６】
棚部２１が第２背壁２５２から上斜方向に延びる構成によれば、棚部２１が奥（背壁２５側）に向かって傾斜するため、棚部２１に植栽された植物及び最上段棚部２１ａに配置されたミストファン４が手前側（開口部２２側）に移動しづらくなる。そのため、植物及びミストファン４が棚部２１から開口部２２を介して前方に落下することを抑制できる。
【００１７】
また、棚部２１の先端部を上方に湾曲させる構成によれば、棚部２１に植栽された植物及び最上段棚部２１ａに配置されたミストファン４を手前側（開口部２２側）に移動させた際、植物及びミストファン４が棚部２１の先端の湾曲部に引っかかる。そのため、植物及びミストファンが棚部２１から開口部２２を介して前方に落下することを抑制できる。
【００１８】
棚部２１の基端部には、その厚み方向に貫通する複数の通水孔２１０が形成されている。この構成によれば、棚部２１が通水孔２１０に向かって傾斜して形成されるため、棚部２１で受水した水を通水孔２１０に流動させることができる。これにより、通水孔２１０から下段の棚部２１に、より早く多量に水を供給できるため、結果として、上下多段に設けられた棚部２１全体に十分な水をより早く供給できる。
【００１９】
ここで、第２背壁２５２は下斜方向に延びているため、通水孔２１０を通った水は、第２背壁２５２に接触する可能性がある。そのため、第２背壁２５２を耐水性材料によって構成することが好ましい。これにより、第２背壁２５２の腐食を抑制することができ、ミストファン付プランター１の耐用期間を長期化することができる。
【００２０】
第１背壁２５１のうち第２背壁２５２より上方に位置する壁部には、厚み方向に貫通穴２５１ａが形成されている。ミストファン４を最上段棚部２１ａに設置した際、ミストファン４の吸気部４１を貫通穴２５１ａから露出させることにより、吸気部４１からの外気の取り入れを容易にし、ミストファン４の誤動作を抑制することができる。なお、貫通穴２５１ａの位置、形状及び大きさは、吸気部４１の位置、形状及び大きさに応じて適宜設定することができる。
【００２１】
プランター２内の植物への潅水方法は、種々の方法から任意に選択することができる。例えば、側壁２４を厚み方向に貫通する貫通穴（不図示）を設け、この貫通穴を挿通するように潅水ホースを配置する方法であってよい。
【００２２】
（ミストファン４について）
ミストファン４は、吸気部４１と、ファン部４２と、ファン部４２の軸を挿通して設けられたミストノズル４３（請求項１における「ミスト散布部」に相当）と、を備える。ミストノズル４３から散布されたミストを、吸気部４１から吸い込んだ空気とともにファン部４２から送り出すことにより、ミストが噴霧される。ミストがファン部４２からの送風によって指向的に運ばれるため、自然風に邪魔されることなく、通行人等にミストを浴びせることができる。すなわち、ファン部４２からの送風によって、ミストを、自然風に負けることなく遠くへ運ぶことができる。
【００２３】
ミストファン４は、プランター２が設置される設置場所における、プランター２に植栽された植物を看取可能な位置に対して、ミストを噴霧する。例えば、プランター２を歩道に設置した場合、ミストファン４は、該歩道においてプランター２に植栽された植物を看取可能な位置に対して、ミストを噴霧する。「設置場所」「看取可能な位置」の定義は、上述したため、説明を繰り返さない。プランター２が設置される設置場所における、プランター２に植栽された植物を看取可能な位置に存する者は、ミストファン４によるミスト噴霧が上述の位置に対して行われることによって、プランター２内の植物の蒸散作用による冷気に加えて、ミストファン４から噴霧されたミストを浴びることができる。これにより、大きな冷涼感を得られ、体感温度が下がる。
【００２４】
ミストファン４は、Ｘ軸方向に対して所定角度だけ上斜方向に傾斜して、最上段棚部２１ａに配置される。ミストファン４を上斜方向に傾斜させることにより、ミストファン４からミストが上斜方向に噴霧される。そのため、通行人等の上半身にミストがかかりやすくなり、ミストを浴びた者が、より冷涼感を得られる。Ｘ軸に対するミストファン４の傾斜角度は、通行人等の身長及びミストを浴びせる部位（例えば、胸部）等を考慮して、適宜設定することができる。
【００２５】
なお、胸部にミストが噴霧されたとき、人はより大きな冷涼感を感じる。そのため、人体の胸部にミストを噴霧するように、Ｘ軸に対するミストファン４の傾斜角度を設定することが好ましい。
【００２６】
ミストファン４は、最上段棚部２１ａに対して、ボルト（不図示）によって直接締結されて固定されている。ただし、ミストファン４を最上段棚部２１ａに固定する方法はこれに限られず、Ｌ字金具等を介して、ミストファン４と最上段棚部２１ａとを間接的に固定してもよい。また、ミストファン４が固定される部分は、最上段棚部２１ａに限られない。例えば、ミストファン４を、ナット（不図示）等によって天壁２３の内面や側壁２４の内面に直接締結して固定してもよい。さらに、ミストファン４が固定される部分は、プランター２の内部に限られず、プランター２の外面であってもよい。例えば、ミストファン４を、ボルト（不図示）等によって天壁２３の外面や側壁２４の外面に直接締結して固定してもよい。
【００２７】
ミストファン付プランター１は、ミストファン４の噴霧予定時間を設定するタイマー（不図示）を備えることが好ましい。これにより、気温が高い時間帯に絞ってミスト噴霧を行うことができるため、ミストに用いる水を効率的に利用することができ、より経済的である。本実施形態において、「噴霧予定時間」とは、ミストファン４によるミスト噴霧の開始予定時間から終了予定時間までのことを指す。しかしながら、これに限られず、ミストファン４によるミスト噴霧の開始予定時間及び噴霧を継続する継続予定時間を指すものであってもよい。
【００２８】
ミストファン付プランター１はさらに、雨が降っているか否かを検知するための降雨センサー（不図示）を備えることが好ましい。これにより、雨が降っている場合におけるミスト噴霧を停止することができるため、不要なミスト噴霧を抑制でき、より経済的である。
【００２９】
図３に、ミストファン付プランター１が上述のタイマー及び降雨センサーを備える場合における、制御部によるミストファン４の動作の制御に関するフローチャートを示す。図３を参照して、タイマーで設定された、ミストファン４によるミスト噴霧の開始予定時間に達すると（ステップＳ１）、制御部は、降雨センサーによって雨が降っているか否かを検知する（ステップＳ２）。降雨が検知されなかった場合（ステップＳ２でＮｏ）、制御部は、所定時間だけミスト噴霧を行うように、ミストファン４を制御する（ステップＳ３）。一方、降雨が検知された場合（ステップＳ２でＹｅｓ）、制御部は、所定時間だけミスト噴霧を行わないように、ミストファン４を制御する（ステップＳ４）。なお、ステップＳ３においてミスト噴霧を行う時間の長さ及びステップＳ４においてミスト噴霧を行わない時間の長さについては、ミストファン付プランター１の設置場所や気候等に応じて適宜設定することができる。また、ステップＳ３においてミスト噴霧を行う時間の長さ及びステップＳ４においてミスト噴霧を行わない時間の長さは、必ずしも同一である必要はなく、異なる長さとしてもよい。ステップＳ３又はステップＳ４の所定時間経過後、現在時刻が、タイマーで設定されたミストファン４の噴霧予定時間を経過したか否かを判別する（Ｓ５）。現在時刻が、タイマーで設定されたミストファン４の噴霧予定時間内である場合には（ステップＳ５でＮｏ）、再び、降雨センサーによって雨が降っているか否かを検知する（ステップＳ２）。一方、現在時刻が、タイマーで設定されたミストファン４の噴霧予定時間を経過した場合には（ステップＳ５でＹｅｓ）、制御部は、ミスト噴霧を停止する（ミスト噴霧を行わない）ように、ミストファン４を制御する（ステップＳ６）。
【００３０】
なお、ミストファン付プランター１が、タイマー又は降雨センサーのいずれか一方のみを備えた構成としてもよい。例えば、ミストファン付プランター１がタイマーのみを備えた構成としてもよい。この構成においては、タイマーで設定されたミスト噴霧開始予定時間に達した場合に、制御部は、ミスト噴霧を行うようにミストファン４を制御し、タイマーで設定された噴霧予定時間を経過した場合に、制御部は、ミスト噴霧を停止するようにミストファン４を制御する。また例えば、ミストファン付プランター１が降雨センサーのみを備えた構成としてもよい。この構成においては、降雨センサーによって降雨が検知されなかった場合に、制御部は、ミスト噴霧を行うようにミストファン４を制御し、降雨センサーによって降雨が検知された場合に、制御部は、ミスト噴霧を停止するようにミストファン４を制御する。
【００３１】
また、タイマー及び降雨センサーの少なくとも一方に代えて、適宜のセンサーを用いてもよい。該適宜のセンサーは、タイマー及び降雨センサーとともに用いてもよい。適宜のセンサーとしては、例えば、人感センサーや温度／湿度センサーを用いることができる。人感センサーを用いることにより、制御部は、プランター２を設置する設置位置において、プランター２に植栽された植物を看取可能な位置に人がいるときのみ、ミストを噴霧するようにミストファン４を制御することができる。温度／湿度センサーを用いることにより、制御部は、温度や湿度に応じて、ミストの噴霧量を変えるようにミストファン４を制御することができる。
【００３２】
（変形例１）
上述の実施形態において、プランター２は、プランター２の下部からＸ軸方向に延びて地面に接する脚部３によって支持されている。しかしながら、これに限られず、傾斜するプランター２を支持可能な構成であればよい。したがって、例えば、背壁２５の外面から下方に傾斜して延びる支持棒が地面に接することによって、プランター２を支持する構成であってよい。また、プランター２は、Ｚ軸方向に対して傾斜しない構成（プランター２が地面に直立する構成）であってよい。この構成においては、脚部３等のプランター支持部を設ける必要がない場合がある。
【００３３】
（変形例２）
上述の実施形態において、背壁２５は、第１背壁２５１および第２背壁２５２から構成されるが、これに限られず、第１背壁２５１のみから構成されてよい。この構成においては、棚部２１は第１背壁２５１から上斜方向に傾斜して延出する。
【００３４】
（変形例３）
上述の実施形態において、棚部２１は、第２背壁２５２から上斜方向に延びているが、これに限られず、例えば、第２背壁２５２からＸ軸方向と平行に延びる構成であって良い。また、上述の実施形態において、棚部２１は上下多段に設けられているが、これに限られず、棚部２１が１つのみ設けられた構成であってよく、棚部２１が設けられていない構成であって良い。
【００３５】
（変形例４）
上述の実施形態において、棚部２１は、先端部が上方に湾曲した形状であるが、本考案はこれに限られず、湾曲部を省略してもよい。この場合、棚部２１は背壁２５から上斜方向に直線状に延びたストレート形状となる。また、例えば、複数の棚部２１のうち任意の棚部２１における湾曲部を省略してもよい。
【００３６】
（変形例５）
上述の実施形態において、第１背壁２５１のうち第２背壁２５２より上方に位置する壁部には、ミストファンの吸気部４１を挿通させるための貫通穴２５１ａが形成されている。しかしながら、吸気部４１の位置、形状及び大きさによっては、貫通穴２５１ａを設けない構成とすることもできる。
【００３７】
（変形例６）
上述の実施形態において、ミストファン４が備えるミストノズル４３は、ファン部４２の軸を挿通して設けられている。しかしながら、これに限られず、ミストノズル４３は、散布したミストがファン部４２からの送風とともに運ばれるような位置に設けられていればよい。
【００３８】
（変形例７）
上述の実施形態において、プランター２は開口部２２を備え、プランター２内の植物の蒸散作用による冷気は、開口部２２を介して放出される。しかしながら、これに限られず、本考案に係るミストファン付プランター１が備えるプランター２は、Ｚ軸方向上方に開口した鉢植え状であってもよい。この場合であっても、プランター２が設置される設置場所における、プランター２に植栽された植物を看取可能な位置に対して、ミストを噴霧するようにミストファン４を配置する。この構成によれば、プランター２を設置する設置位置において、プランター２に植栽された植物を看取可能な位置に存する者は、プランター２内の植物の蒸散作用による冷気に加えて、ミストファン４から噴霧されたミストを浴びることができる。これにより、大きな冷涼感を得られ、体感温度が下がる。
【００３９】
（変形例８）
上述の実施形態において、ミストファン付プランター１はミストファン４を１つのみ備える。しかしながら、これに限られず、ミストファン付プランター１はミストファン４を複数備える構成であってもよい。この場合、複数のミストファン４をすべて同じ位置に設ける必要はない。例えば、複数のミストファン４の一部を最上段棚部２１ａに設け、その他のミストファン４を天壁２３の外面に固定する構成であってもよい。
【００４０】
（変形例９）
上述の実施形態において、脚部３は一対の側壁２４と一体的に形成された構成であるが、これに限られない。脚部３と一対の側壁２４とが別々に形成されて、任意の固定手段（例えば、接着剤など）によって互いに固定された構成であって良い。
【００４１】
（変形例１０）
ミストファン付プランター１は、脚部３に貫通穴（不図示）が設けられた構成であって良い。この構成を有するミストファン付プランター１を、Ｙ軸方向に隣接させて複数配置し、脚部３の貫通穴に棒状部材（不図示）を挿通させる。この挿通状態において、脚部３と棒状部材とを固定手段（例えば、鍵など）によって互いに固定することによって、複数のミストファン付プランター１を一体とすることができる。これにより、個々のミストファン付プランター１を別々に移動させる場合と比べ、ミストファン付プランター１を移動させることが困難となる。そのため、ミストファン付プランター１の盗難を抑制することができる。また、複数のミストファン付プランター１を一体とすることによって総重量が増加するため、人や物が衝突した場合であっても、ミストファン付プランター１が倒れることを抑制できる。
【符号の説明】
【００４２】
１：ミストファン付プランター  ２：プランター  ４：ミストファン  ４２：ファン部  ４３：ミストノズル
【図１】
0003223145.tif 000003
【図２】
0003223145.tif 000004
【図３】
0003223145.tif 000005